(57)【要約】【課題】識別情報が複数あるとき、複数のサービスを享受できるようにする。【解決手段】光ディスクより読み出した識別情報ＵＩＤを管理用サーバ側に送信し、管理用サーバ側に用意されたサービス用のコンテンツを識別情報の個数分だけ享受できる。有限個のサービスを識別情報の個数だけで判断できる。サービスを受けるべきコンテンツは同一のコンテンツか、アクセスの都度異なるコンテンツである。サービス回数の管理を管理用サーバ側で行うと、光ディスクから読み出された識別情報ＵＩＤを参照してサービス回数などを管理することになるので、ディスクを再生する情報端末装置には全く依存しない。【選択図】　　　　図９
2004087062.tif 000002
【特許請求の範囲】
【請求項１】
データ記録媒体であって、このデータ記録媒体に記録媒体固有の識別情報が複数記録されたことを特徴とするデータ記録媒体。
【請求項２】
上記固有の識別情報は、上記識別情報管理用サーバに蓄積されたサービスコンテンツを享受するための識別情報であることを特徴とする請求項１記載のデータ記録媒体。
【請求項３】
上記固有の識別情報は、上記識別情報管理用サーバ側で認証できる識別情報であることを特徴とする請求項１記載のデータ記録媒体。
【請求項４】
上記データ記録媒体は、光ディスクであることを特徴とする請求項１記載のデータ記録媒体。
【請求項５】
上記識別情報は、同一の識別情報を複数使用することを特徴とする請求項１記載のデータ記録媒体。
【請求項６】
上記識別情報は、異なる複数の識別情報であることを特徴とする請求項１記載のデータ記録媒体。
【請求項７】
上記複数の識別情報を使用することで、同一コンテンツのサービスを複数回享受できるか又は、異なる複数のコンテンツのサービスを享受できることを特徴とする請求項６記載のデータ記録媒体。
【請求項８】
上記データ記録媒体は、プレス工程によって作成されたデータ記録済みの媒体であり、
この記録済みの媒体に上記識別情報が記録されたことを特徴とする請求項１記載のデータ記録媒体。
【請求項９】
上記識別情報は、プログラムエリア、リードインエリア又はリードアウトエリアの何れか１つ、若しくは２つ以上のエリアに記録されたことを特徴とする請求項８記載のデータ記録媒体。
【請求項１０】
上記識別情報は、連続して記録されるか又は分散して記録されることを特徴とする請求項８記載のデータ記録媒体。
【請求項１１】
上記データ記録媒体は、記録可能な媒体であり、
ユーザがデータ記録可能なエリア以外のエリアに上記識別情報が記録されることを特徴とする請求項１記載のデータ記録媒体。
【請求項１２】
上記識別情報は、連続して記録されるか又は分散して記録されることを特徴とする請求項１１記載のデータ記録媒体。
【請求項１３】
データ記録媒体に対する識別情報の記録方法であって、
上記データ記録媒体がプレス工程によって作成されたデータ記録済みの媒体であるとき、
上記データ記録した後、高出力レーザを用いて媒体固有の識別情報が複数記録されることを特徴とする識別情報記録方法。
【請求項１４】
上記識別情報は、プログラムエリア、リードインエリア又はリードアウトエリアの何れか１つ、若しくは２つ以上のエリアであって無変調信号部に記録されたことを特徴とする請求項１３記載の識別情報記録方法。
【請求項１５】
上記識別情報は、連続して記録されるか又は分散して記録されることを特徴とする請求項１３記載の識別情報記録方法。
【請求項１６】
データ記録媒体に対する識別情報の記録方法であって、
上記データ記録媒体は記録可能な媒体であって、
ユーザがデータを記録できないエリアではあるが、再生できるエリアに、レーザを用いて上記識別情報が記録されることを特徴とする識別情報記録方法。
【請求項１７】
上記データを記録できないエリアは、リードインエリアの内側に設けられたプログラムメモリエリアであることを特徴とする請求項１６記載の識別情報記録方法。
【請求項１８】
データを所定のフォーマットの変調信号に変換し、変換したこの変調信号に基づいて記録された媒体原盤より記録済み媒体を作成する成形装置と、
上記記録済み媒体固有の識別情報をストアした記憶手段と、
上記記憶手段より読み出した複数の識別情報を所定のフォーマットで変調した複数の変調信号を上記記録済み媒体に追記する追記手段とを備えたことを特徴とする識別情報記録装置。
【請求項１９】
上記追記手段は、高出力レーザを備えることを特徴とする請求項１８記載の識別情報記録装置。
【請求項２０】
上記固有の識別情報は、識別情報管理用サーバに蓄積されたサービスコンテンツを享受するための識別情報であることを特徴とする請求項１８記載の識別情報記録装置。
【請求項２１】
上記固有の識別情報は、上記識別情報管理用サーバ側で認証できる識別情報であることを特徴とする請求項１８記載の識別情報記録装置
【請求項２２】
上記記録済み媒体は、光ディスクであることを特徴とする請求項１８記載の識別情報記録装置。
【請求項２３】
上記識別情報は、同一で複数の識別情報か、異なる複数の識別情報であることを特徴とする請求項１８記載の識別情報記録装置。
【請求項２４】
上記複数の識別情報を使用することで、同一コンテンツのサービスを複数回享受できるか又は、異なる複数のコンテンツのサービスを享受できることを特徴とする請求項１８記載の識別情報記録装置。
【請求項２５】
上記識別情報は、プログラムエリア、リードインエリア又はリードアウトエリアの何れか１つ、若しくは２つ以上のエリアに記録されたことを特徴とする請求項１８記載の識別情報記録装置。
【請求項２６】
上記識別情報は、連続して記録されるか又は分散して記録されることを特徴とする請求項１８記載の識別情報記録装置。
【請求項２７】
識別情報管理用サーバに蓄積されたサービスコンテンツを享受するために使用される媒体固有の複数の識別情報が記録されたデータ記録媒体より、上記複数の識別情報を読み出し、
読み出した複数の識別情報を上記識別情報管理用サーバに送信することで、上記複数の識別情報に対応した複数のサービスを享受できるようにしたことを特徴とする識別情報再生方法。
【請求項２８】
上記データ記録媒体より属性情報を再生し、再生したこの属性情報より上記複数の識別情報を抽出することを特徴とする請求項２７記載の識別情報再生方法。
【請求項２９】
上記属性情報は、ＴＯＣ情報であることを特徴とする請求項２８記載の識別情報再生方法。
【請求項３０】
上記固有の識別情報は、上記識別情報管理用サーバ側で認証できる識別情報であることを特徴とする請求項２７記載の識別情報再生方法。
【請求項３１】
上記記録済み媒体は、光ディスクであることを特徴とする請求項２７記載の識別情報再生方法。
【請求項３２】
上記識別情報は、同一で複数の識別情報か、異なる複数の識別情報であることを特徴とする請求項２７記載の識別情報再生方法。
【請求項３３】
上記複数の識別情報を使用することで、同一コンテンツのサービスを複数回享受できるか又は、異なる複数のコンテンツのサービスを享受できることを特徴とする請求項２７記載の識別情報再生方法。
【請求項３４】
上記識別情報は、プログラムエリア、リードインエリア又はリードアウトエリア、プログラムメモリエリアの何れか１つ、若しくは２つ以上のエリアに記録されたことを特徴とする請求項２７記載の識別情報再生方法。
【請求項３５】
上記識別情報は、連続して記録されるか又は分散して記録されることを特徴とする請求項２７記載の識別情報再生方法。
【請求項３６】
データ記録媒体に対する再生処理手段と、
データ再生信号より属性情報を抽出する属性情報抽出手段と、
上記再生処理手段より得られる再生信号中より上記データ記録媒体固有の識別情報を抽出する識別情報抽出手段と、
送受信機能を有する制御手段とを有し、
上記識別情報抽出手段より抽出された複数の識別情報を用いて識別情報管理用サーバに蓄積されたサービスコンテンツを享受するようにしたことを特徴とする識別情報再生装置。
【請求項３７】
再生した上記複数の識別情報の全てまたは指定した識別情報のみを上記識別情報管理用サーバに送信することを特徴とする請求項３６記載の識別情報再生装置。
【請求項３８】
上記記録済み媒体は、光ディスクであることを特徴とする請求項３６記載の識別情報再生装置。
【請求項３９】
上記識別情報は、同一で複数の識別情報か、異なる複数の識別情報であることを特徴とする請求項３６記載の識別情報再生装置。
【請求項４０】
上記複数の識別情報を使用することで、同一コンテンツのサービスを複数回享受できるか又は、異なる複数のコンテンツのサービスを享受できることを特徴とする請求項３６記載の識別情報再生装置。
【請求項４１】
上記識別情報は、プログラムエリア、リードインエリア又はリードアウトエリアの何れか１つ、若しくは２つ以上のエリアに記録されたことを特徴とする請求項３６記載の識別情報再生装置。
【請求項４２】
上記識別情報は、連続して記録されるか又は分散して記録されることを特徴とする請求項３６記載の識別情報再生装置。
【請求項４３】
データ記録媒体に記録された媒体固有の複数の識別情報を用いて識別情報管理用サーバ側に蓄積されたサービスコンテンツを享受する情報サービス方法であって、
識別情報再生装置側と識別情報管理用サーバ側とが通信回線網によって結ばれ、
上記識別情報再生装置側では、上記データ記録媒体より複数の識別情報を読み出し、
読み出した識別情報を上記通信回線網を介して上記識別情報管理用サーバ側に送信し、
上記識別情報管理用サーバ側では、受信した複数の識別情報に対応した複数のサービスを上記識別情報再生装置側に提供するようにしたことを特徴とする情報サービス方法。
【請求項４４】
受信した上記識別情報の個数によって、享受できるサービスコンテンツのサービス回数または異なるサービスコンテンツのコンテンツ数が定まることを特徴とする請求項４３記載の情報サービス方法。
【請求項４５】
提供するサービスコンテンツ若しくは提供されるサービスコンテンツを上記識別情報管理用サーバ側又は上記識別情報再生装置側で選択できることを特徴とする請求項４３記載の情報サービス方法。
【請求項４６】
サービスコンテンツを選択できるときには、予め識別情報管理用サーバ側よりサービスコンテンツの情報が識別情報再生装置側に提供されることを特徴とする請求項４５記載の情報サービス方法。
【請求項４７】
サービスコンテンツの情報が提供されるときには、受信した複数の識別情報と提供できるサービスコンテンツとを関連させて上記識別情報再生装置側に提供されることを特徴とする請求項４５記載の情報サービス方法。
【請求項４８】
コンテンツの提供が行われたときには、識別情報管理用サーバ側に設けられた管理用データベースの管理情報が書き替えられることを特徴とする請求項４３記載の情報サービス方法。
【請求項４９】
上記識別情報を受信したときには、内部の管理情報を参照して同一サービスコンテンツの提供を受けられるサービス回数又は提供できるサービスコンテンツ数を把握し、
サービスできる限度までサービスコンテンツを提供することを特徴とする請求項４３記載の情報サービス方法。
【請求項５０】
同一コンテンツのサービス回数又は提供できるサービスコンテンツ数は、上記識別情報の個数に依存することを特徴とする請求項４９記載の情報サービス方法。
【請求項５１】
通常のサービスコンテンツに加え、スペシャルサービスコンテンツを用意し、全てのサービスコンテンツの提供が終了したときに、上記スペシャルサービスコンテンツを提供することを特徴とする請求項４３記載の情報サービス方法。
【請求項５２】
複数の識別情報に対応したサービスが終了したときには、サービス終了のメッセージを上記識別情報再生装置側に送信することを特徴とする請求項４３記載の情報サービス方法。
【請求項５３】
データ記録媒体に記録された媒体固有の複数の識別情報を用いて識別情報管理用サーバ側に蓄積されたサービスコンテンツを享受する情報サービスシステムであって、
通信回線網によって結ばれた識別情報再生装置と識別情報管理用サーバとを有し、
上記識別情報再生装置側では、データ記録媒体を再生して、このデータ記録媒体に記録された媒体固有の複数の識別情報を保存すると共に、この識別情報を送信し、サービスコンテンツを受信できる送受信手段を有し、
上記識別情報管理用サーバ側では、上記複数のサービスコンテンツを蓄積したサービスコンテンツ用データベースと、管理用データベースを有し、
上記識別情報再生装置側では、上記データ記録媒体より複数の識別情報を読み出し、読み出した識別情報を上記通信回線網を介して上記識別情報管理用サーバ側に送信し、
上記識別情報管理用サーバ側では、受信した複数の識別情報に対応した複数のサービスを上記識別情報再生装置側に提供するようにしたことを特徴とする情報サービスシステム。
【請求項５４】
上記固有の識別情報は、上記識別情報管理用サーバに蓄積されたサービスコンテンツを享受するための識別情報であることを特徴とする請求項５３記載の情報サービスシステム。
【請求項５５】
上記固有の識別情報は、上記識別情報管理用サーバ側で認証できる識別情報であることを特徴とする請求項５３記載の情報サービスシステム。
【請求項５６】
上記データ記録媒体は、光ディスクであることを特徴とする請求項５３記載の情報サービスシステム。
【請求項５７】
上記識別情報は、同一の識別情報を複数使用するか、異なる複数の識別情報であることを特徴とする請求項５３記載の情報サービスシステム。
【請求項５８】
上記複数の識別情報を使用することで、同一コンテンツのサービスを複数回享受できるか又は、異なる複数のコンテンツのサービスを享受できることを特徴とする請求項５７記載の情報サービスシステム。
【請求項５９】
上記識別情報再生装置側では、受信したサービスコンテンツを表示し、および又は保存する手段が設けられることを特徴とする請求項５３記載の情報サービスシステム。
【請求項６０】
上記管理用データベースには、上記データ記録媒体ごとに上記識別情報が管理され、識別情報の使用回数又はサービスコンテンツ数が保存されることを特徴とする請求項５３記載の情報サービスシステム。
【発明の詳細な説明】
【０００１】
【発明の属する技術分野】
この発明は、データ記録媒体、識別情報記録方法、識別情報記録装置、識別情報再生方法、識別情報再生装置、情報サービス方法および情報サービスシステムに関する。
【０００２】
詳しくは、本来の情報の他に、その記録媒体固有の識別情報を複数記録しておくことで、特定のサービス機関にアクセスして認証されたときにはその識別情報の記録個数に見合ったサービスを享受できるようにしたものである。
【０００３】
【従来の技術】
コンパクトディスク（ＣＤ）や、デジタル多用途ディスク（ＤＶＤ）などの記録済みあるいは記録可能な記録媒体などには、その記録媒体固有の識別情報（ＵＩＤ）を記録することが考えられている。この識別情報を記録しておくことによって、その記録媒体が真正な記録媒体か、不正コピーされた記録媒体かを判別する識別子として使用することができる。あるいはまた、この識別情報を各種サービスを享受するための識別子としても使用することができる。
【０００４】
各種サービスとは、例えばデータ記録媒体に記録された情報あるいは記録すべき情報には特に関連がない情報（コンテンツ）であって、音楽情報、音楽情報に関連したアーティストなどの関連情報、映像情報（静止画、動画）などであるが、場合によってはコンピュータで使用するプログラムデータなどのディジタルデータが考えられる。もちろん、データ記録媒体に記録された、あるいは記録すべき情報に関連した情報をサービスコンテンツとして提供することもできる。
【０００５】
【発明が解決しようとする課題】
ところで、各種サービスを享受する識別子の１つの機能としてこの識別情報を位置づけたときには、このデータ記録媒体を再生できる情報端末装置を用いて例えば特定のサービス機関にアクセスすると共に、この識別情報を認証用として用いることで、特定のサービスを享受するような情報サービスシステムを構築できる。
【０００６】
しかし、この場合に享受できるサービスは通常１つである。つまり、識別情報と享受できるサービスとは、１：１の関係にあり、１回のアクセスによって認証された識別情報によって、ある特定のサービスを１つだけ享受できる仕組みとなる場合が多い。またそのサービスは有償、無償を問わず識別情報が認証できる限りにおいては無限であって、アクセス回数が制限されたり、サービス享受回数などが制限されることはない。
【０００７】
そのため、例えば同じサービスを繰り返し受けることができるようになるがデータ記録媒体に記録された識別情報を、例えば記録媒体の購入者に対して有限なサービスを提供するときの識別情報としては使用することができない。しかし例えば、記録媒体の購入価格に応じて享受できるサービス回数をこの識別情報のみで制限できれば好ましい。あるいは、サービスを享受できる異なるコンテンツの数を制限できればより好ましい。識別情報の利用回数などをサービス機関側で監視することで、有限なサービスを実現できるからである。
【０００８】
そこで、この発明はこのような従来の課題を解決したものであって、特に複数の識別情報を、記録済みの記録媒体あるいは書き込み可能な記録媒体に予め記録しておき、サービス機関ではこの識別情報の記録個数を監視することで、特定のサービスあるいは希望するサービスを識別情報の記録個数だけ享受することができるようにした、データ記録媒体、識別情報記録方法、情報サービスシステム等を提案するものである。
【０００９】
【課題を解決するための手段】
上述の課題を解決するため、請求項１に記載したこの発明に係るデータ記録媒体では、データ記録媒体であって、このデータ記録媒体に記録媒体固有の識別情報が複数記録されたことを特徴とする。
【００１０】
請求項１３に記載したこの発明に係る識別情報記録方法は、データ記録媒体に対する識別情報の記録方法であって、
上記データ記録媒体がプレス工程によって作成されたデータ記録済みの媒体であるとき、
上記データ記録した後、高出力レーザを用いて媒体固有の識別情報が複数記録されることを特徴とする。
【００１１】
請求項１６に記載したこの発明に係るデータ記録媒体に対する識別情報の記録方法では、
上記データ記録媒体は記録可能な媒体であって、ユーザがデータを記録できないエリアではあるが、再生できるエリアに、レーザを用いて上記識別情報が記録されることを特徴とする。
【００１２】
請求項１８に記載したこの発明に係る識別情報記録装置では、データを所定のフォーマットの変調信号に変換し、変換したこの変調信号に基づいて記録された媒体原盤より記録済み媒体を作成する成形装置と、
上記記録済み媒体固有の識別情報をストアした記憶手段と、
上記記憶手段より読み出した複数の識別情報を所定のフォーマットで変調した複数の変調信号を上記記録済み媒体に追記する追記手段とを備えたことを特徴とする。
【００１３】
請求項２７に記載したこの発明に係る識別情報の再生方法では、識別情報管理用サーバに蓄積されたサービスコンテンツを享受するために使用される媒体固有の複数の識別情報が記録されたデータ記録媒体より、上記複数の識別情報を読み出し、
読み出した複数の識別情報を上記識別情報管理用サーバに送信することで、上記複数の識別情報に対応した複数のサービスを享受できるようにしたことを特徴とする。
【００１４】
請求項３６に記載したこの発明に係る識別情報再生装置では、データ記録媒体に対する再生処理手段と、
データ再生信号より属性情報を抽出する属性情報抽出手段と、
上記再生処理手段より得られる再生信号中より上記データ記録媒体固有の識別情報を抽出する識別情報抽出手段と、
送受信機能を有する制御手段とを有し、
上記識別情報抽出手段より抽出された複数の識別情報を用いて識別情報管理用サーバに蓄積されたサービスコンテンツを享受するようにしたことを特徴とする。
【００１５】
請求項４３に記載したこの発明に係る情報サービス方法は、データ記録媒体に記録された媒体固有の複数の識別情報を用いて識別情報管理用サーバ側に蓄積されたサービスコンテンツを享受する情報サービス方法であって、
識別情報再生装置側と識別情報管理用サーバ側とが通信回線網によって結ばれ、
上記識別情報再生装置側では、上記データ記録媒体より複数の識別情報を読み出し、
読み出した識別情報を上記通信回線網を介して上記識別情報管理用サーバ側に送信し、
上記識別情報管理用サーバ側では、受信した複数の識別情報に対応した複数のサービスを上記識別情報再生装置側に提供するようにしたことを特徴とする。
【００１６】
また、請求項５３に記載したこの発明に係る情報サービスシステムは、データ記録媒体に記録された媒体固有の複数の識別情報を用いて識別情報管理用サーバ側に蓄積されたサービスコンテンツを享受する情報サービスシステムであって、通信回線網によって結ばれた識別情報再生装置と識別情報管理用サーバとを有し、
上記識別情報再生装置側では、データ記録媒体を再生して、このデータ記録媒体に記録された媒体固有の複数の識別情報を保存すると共に、この識別情報を送信し、サービスコンテンツを受信できる送受信手段を有し、
上記識別情報管理用サーバ側では、上記複数のサービスコンテンツを蓄積したサービスコンテンツ用データベースと、管理用データベースを有し、
上記識別情報再生装置側では、上記データ記録媒体より複数の識別情報を読み出し、読み出した識別情報を上記通信回線網を介して上記識別情報管理用サーバ側に送信し、
上記識別情報管理用サーバ側では、受信した複数の識別情報に対応した複数のサービスを上記識別情報再生装置側に提供するようにしたことを特徴とする。
【００１７】
この発明では、データ記録媒体が記録済みの媒体か、記録可能な未記録媒体かを問わず、その媒体固有の識別情報（ＵＩＤ）を複数記録する。識別情報ＵＩＤの記録場所は、再生はできるが、再書き込みができない任意のエリアであって、記録済みのデータ記録媒体であるときには、データが記録された記録済みエリア（プログラムエリア）、リードインエリア、リードアウトエリアのうち、少なくとも１つのエリアに、本来のデータを記録した後の工程で例えば高出力レーザなどを用いて記録される。記録可能なデータ記録媒体ではリードインエリアよりも内周側に設けられたプログラムメモリエリア（ＰＭＡ）にレーザなどを用いて記録される。
【００１８】
識別情報ＵＩＤは、同一内容のデータを複数個使用することもできれば、それぞれ値の異なったデータを複数個使用することもできる。識別情報ＵＩＤは数字または数字と記号などを組み合わせた複数桁のデータ列で構成される。この識別情報ＵＩＤには、このデータ列に加えて、ユーザに対するサービス方法やサービスタイミング（日時など）、媒体の種類などの各種付属情報を追加した情報列を識別情報として利用することもできる。
【００１９】
複数の識別情報ＵＩＤは、連続して記録することもできれば、分散して記録することもできる。プログラムメモリエリア以外に記録する場合には、どのアドレスに記録したかを示す情報として、リードインエリアにＴＯＣ（Ｔａｂｌｅ　ｏｆ　Ｃｏｎｔｅｎｔｓ）情報の１つとして記録される。
【００２０】
データ記録媒体の再生時には、原則としてＴＯＣ情報を参照して複数の識別情報ＵＩＤが読み出される。読み出した識別情報ＵＩＤは保存され、そして必要なタイミングのときに通信回線網（インターネットなど）を介して、サービス機関であるこの例では識別情報の管理用サーバ（Ｗｅｂサイト）にアクセスされる。読み出した識別情報ＵＩＤの全部又は選択した任意の識別情報ＵＩＤは管理用サーバに送信される。
【００２１】
読み出した複数の識別情報ＵＩＤを送信することで、管理用サーバ側ではデータ記録媒体に記録されていた識別情報ＵＩＤの個数を把握できるから、これによってサービスすべき回数や、いくつのコンテンツをサービスすべきかを認識できる。
【００２２】
管理用サーバ側には識別情報管理用データベースがあり、ここには予めユーザの識別情報であるパスワードなどが管理されると共に、アクセスされたデータ記録媒体ごとに管理情報（識別情報）が保存される。コンテンツサービスの要求の都度、管理情報が書き換えられる。識別情報ＵＩＤがＮ個のときにはサービスを提供するごとに数値Ｎがデクリメントされ、例えばＮ＝５であるときにはＮ＝１で全てのサービスが終了する。全てのサービスが終了した後は、必要に応じて特別なサービス（スペシャルサービス）を提供することもできる。これによって再度の購入を期待できる。
【００２３】
提供するサービス（サービスコンテンツ）は同じコンテンツでもよければ、種類の異なったコンテンツでもよい。何れの場合でも識別情報ＵＩＤの記録個数によってそのサービスすべき回数が制限される。例えば、Ｎ＝５のときには同じコンテンツが５回ユーザ側に提供され、あるいは５つの異なったコンテンツがユーザ側に提供される。どのようなサービスコンテンツを享受するかはユーザ側では原則として選択できないが、異なったコンテンツの提供を受ける場合には、ユーザ側でコンテンツを選択することも可能である。その場合には、管理用サーバ側から提供できるコンテンツを識別情報ＵＩＤに関連づけてユーザ側に送り、ユーザ側で希望するコンテンツを指定することになる。
【００２４】
このように複数の識別情報ＵＩＤを記録したデータ記録媒体を使用して情報サービスシステムを構築すれば、ユーザに提供するサービスを１回限りではなく、複数回提供できる。換言すれば複数の識別情報ＵＩＤをデータ記録媒体に記録しておくだけで有限のサービスシステムを構築できる。これによってユーザの購買意欲を刺激できると共に、さらにスペシャルサービスを用意することで一層の効果を期待できる。
【００２５】
【発明の実施の形態】
続いて、この発明に係るデータ記録媒体を始めとして、識別情報記録方法などの一実施形態を図面を参照して詳細に説明する。
【００２６】
図１はこの発明に係る書き込み可能な記録媒体であるディスク状のデータ記録媒体１０の実施の形態を示す。この記録媒体１０は、主記録領域１４と、補助記録領域１６，１８とを有し、主記録領域１４は情報端末装置（図示はしない）より書き込みができる領域となされ、補助記録領域１６，１８は情報端末装置側より書き込みができない領域となされた書き込み可能なデータ記録媒体である。
【００２７】
補助記録領域１６，１８のうち最内周に属する領域１８には識別情報などが記録され、主記録領域１４には本来のデータ（特定のコンテンツ）が記録される。
【００２８】
この書き込み可能な記録媒体としては、コンパクトディスクＣＤであれば追記型のＣＤ−Ｒ、書き換え型のＣＤ−ＲＷなどがその代表的な例である。デジタル多用途ディスクＤＶＤであれば、同じく追記型のＤＶＤ−Ｒ、書き換えができるＤＶＤ−ＲＷなどがその代表例である。
【００２９】
光ディスク１０はその基本的な構造は周知のように、最外周にリードアウトエリア１２が位置し、その内側にコンテンツ記録エリアであるプログラムエリア（ＰＡ）１４が存在する。このプログラムエリア１４が主記録領域に相当する。プログラムエリア１４の内周側にはＴＯＣ情報を記録するリードインエリア１６があり、さらにその内周にプログラムメモリエリア（ＰＭＡ）１８が設けられている。このリードインエリア１６およびプログラムメモリエリア１８が補助記録領域に相当する。
【００３０】
プログラムメモリエリア１８は周知のようにコンプリート処理あるいはファイナライズ処理をする前の仮のＴＯＣ情報が記録される。プログラムメモリエリア１８に仮ＴＯＣ情報を記録してある間は、プログラムエリア１４にコンテンツを書き込むことができる。しかし、コンプリート処理すべき操作が行われると、リードインエリア１６にＴＯＣ情報が書き込まれ、以後の書き込み（記録）処理はできない。
【００３１】
図２はプレス工程でデータが記録されている記録済みのデータ記録媒体としての光ディスクを示す。この光ディスク１０はデータが記録されている主記録領域であるプログラムエリア１４、その外周側にあるリードアウトエリア１２および内周側にあるリードインエリア１６で構成される。この記録済み記録媒体としてはＣＤ−ＲＯＭ，ＤＶＤ−ＲＯＭなどがその代表的な光ディスクである。
【００３２】
これら図１あるいは図２に示すデータ記録媒体１０に対して、複数の識別情報ＵＩＤが記録される。識別情報ＵＩＤは特定の管理用サーバにアクセスしたとき、その管理用サーバに蓄積された情報（サービスコンテンツ）を取得するためのものである。データ記録媒体１０を正規に購入した人のために与えるサービスの一種として利用される。
【００３３】
識別情報ＵＩＤは複数個記録されるものであり、識別情報ＵＩＤとしては所定桁数の数字のみか、あるいはこの数字と記号などの組み合わせによって構成される。この識別情報ＵＩＤとしてさらに、このようなデータ列に加えて、ユーザに対するサービス方法やサービスタイミング（日時など）、媒体の種類などの各種付属情報を追加した情報列を識別情報として利用することもできる。以下説明する例は付属情報が付加されていない識別情報を使用した場合を示す。
【００３４】
識別情報ＵＩＤは図３（ａ）に示すように同じ内容のものを複数個使用する場合と、図３（ｂ）のように異なる複数の識別情報ＵＩＤ１〜ＵＩＤｎ（ｎは任意の数）を用いる場合とが考えられる。前者の場合には、例えば特定のサービスコンテンツを複数回取得する場合に好適であり、後者の場合には例えば特定のサービスコンテンツであるが、種類の異なるｎ個のサービスコンテンツを取得する場合に好適である。
【００３５】
識別情報ＵＩＤは上述したデータ記録媒体１０のうち、読み出すことはできるが、再度そのエリアに書き込むことはできない上述したエリアに連続して若しくは分散して記録される。その詳細な例は後述する。図１に示す書き込み可能な光ディスク１０の場合にはプログラムメモリエリア１８に連続して若しくは分散して記録されると共に、ＴＯＣ情報の一部に記録したアドレス情報が識別情報ＵＩＤのＴＯＣ情報として記録される。
【００３６】
プレス工程によってデータが記録された記録済みの光ディスク１０の場合には、プログラムエリア１４を始めとしてリードアウトエリア１２，リードインエリア１６の何れか若しくは２以上のエリアに亘って連続して、若しくは分散して記録される。この場合においても、どのエリアのどのアドレスに識別情報ＵＩＤを記録したかを示す情報がＴＯＣ情報の一部として、識別情報の記録と同時に記録される。
【００３７】
さて、この発明にかかる情報サービスシステムは図４に示すように、サービスを受けるべき情報端末装置側２０と、サービスコンテンツを蓄積した識別情報管理用サーバ３０とがインターネットなどの通信回線網４０を介して連結されて構築される。そして、情報端末装置２０側で読み出した識別情報ＵＩＤを管理用サーバ３０側に転送することで、その識別情報ＵＩＤが認証されれば、管理用サーバ３０側に蓄積されたサービスを提供する。このサービスは光ディスクの正規購入者にとってはボーナス的なもので、例えば光ディスク１０の価格に応じたボーナスが予め設定され、ユーザのアクセスによってそのボーナスをユーザに無料で提供することができる。
【００３８】
情報端末装置２０は、ディスクの再生手段とデータの送受信手段がそれぞれ設けられ、光ディスク１０より本来のデータを読み出して再生することができると共に、光ディスク１０に記録された識別情報ＵＩＤを読み出し、読み出した識別情報ＵＩＤを用いて特定のサービスを受けるための装置である。従って、以下説明する光ディスク１０はＣＤ−ＲＯＭなどの記録済みのデータ記録媒体を例示する。
【００３９】
図５はこの情報端末装置２０の実施の形態を示すもので、上述したように光ディスク１０を再生するディスク再生手段として機能する識別情報再生装置５０を有する。この情報端末装置２０には装置全体の制御を司るＣＰＵからなる制御部２２を始めとして、各種データを記録し保存するための記憶手段、この例ではハードディスクからなる記憶手段２３と、外部とのデータ授受を行うデータ送受信手段（通信インタフェース）２４がバス２７に連結されている。さらに、ＬＣＤなどの表示部２５や、操作情報を入力するためのキーボードなどからなる入力手段２６がそれぞれバスを介して相互に連結されている。
【００４０】
この構成によって、光ディスク１０から識別情報を含めたデータの再生処理を始めとして、外部とのデータ授受さらには受信したデータの記憶処理などを実現している。制御部２２にはこれらの処理を実現するために必要な処理プログラムを格納したＲＯＭなどのメモリ手段（図示はしない）が内蔵されている。
【００４１】
図６は管理用サーバ３０側の実施の形態を示す。管理用サーバ３０はユーザからの識別情報を認証し、認証されたとき予め用意されたサービスを提供できるように構成されると共に、サービス回数などを管理するための処理を行っている。そのため、図６に示すようにこの管理用サーバ３０は装置全体の制御を行うＣＰＵを有する制御部３１、サービスコンテンツを蓄積したデータベース３２、光ディスク固有の識別情報ＵＩＤやサービス回数などの各種管理情報を蓄積した管理用データベース３３が設けられる。これらの他に、外部とのデータ授受を行う送受信手段（通信インタフェース）３４、識別情報ＵＩＤなどの情報を表示するＬＣＤなどからなる表示部３５および情報入力などのときに使用するキーボードやマウスなどの入力手段３６などで構成される。
【００４２】
図７はこの発明に係る識別情報再生装置５０の実施の形態を示す要部の系統図である。
【００４３】
制御部２２からの制御信号によってサーボコントローラ５２が制御されることで、スピンドルモータ５４が回転して、光ディスク１０は線速度が一定となされた状態で、光ディスク１０からの記録情報が光ピックアップユニット５５によって読み取られる。読み取られた光信号はユニット内部で電気信号に変換された状態でＲＦアンプ５６を介して復調器５７に供給されて、情報の復調（ＥＦＭ復調）が行われる。復調出力のうちプログラムエリア１４に記録されている情報はさらに後段のエラー訂正および復号化回路５８において、エラー訂正処理および復号化処理が行われる。その後、出力処理部５９を介して再生出力情報として出力されると共に、復号出力はさらに識別情報抽出手段６２にも供給され、復調出力のうち光ディスク１０に記録された識別情報ＵＩＤが抽出分離される。
【００４４】
一方、ＥＦＭ復調された復調出力はＴＯＣ情報の抽出手段である読み出し手段６０にも供給されてＴＯＣ情報の抽出分離が行われる。抽出分離されたＴＯＣ情報は制御部２２に供給されて、ＴＯＣ情報より識別情報の記録アドレスが抽出される。この記録アドレスを利用して抽出手段６２に供給された復調出力から識別情報ＵＩＤのみが抽出分離されて、これが一時的にメモリ手段（ＲＡＭ）６３に保存される。
【００４５】
入力手段２６からの入力情報に応じてメモリ手段６３の識別情報ＵＩＤが読み出され、読み出された識別情報ＵＩＤが送受信手段２４（図示はしない）を介して管理用サーバ３０側に送信される。
【００４６】
なお、光ディスク１０に記録された本来のデータ（映像データなど）は出力処理部５９からバス２７を介して表示部２５に供給された映像などが再現されると共に、必要に応じて外部に出力される。
【００４７】
さて、図４に示すような情報サービスシステムを構築したときの各種処理例を図８以下を参照して説明する。図８はこの情報サービスシステム全体の処理を説明する概略図（フローチャート）であって、識別情報端末装置２０側では光ディスク１０を再生して識別情報ＵＩＤを取得する。この識別情報ＵＩＤはメモリ手段６３に保存される。識別情報ＵＩＤは同時に表示部２５に表示することもできれば、安全性を考慮して不知とすることもできる。
【００４８】
次に、ユーザが管理用サーバ３０へのアクセス処理を行う。このときユーザ認証を行う関係で、ユーザ側からは予め管理用サーバ３０との間で取り決めたパスワードＰＷを送信する。ユーザの認証が行われると、管理用サーバ３０側からはサーバ側が取り扱うメニュー情報（サービスメニュー）が送信され、ユーザ側ではこのサービスメニューが表示される。ユーザが識別情報ＵＩＤを使用したサブメニューを選択したときには、光ディスク１０より読み出した識別情報ＵＩＤの全てが管理用サーバ３０側に送信される。
【００４９】
管理用サーバ３０側では受信した識別情報ＵＩＤが正規な識別情報であるかを管理用データベース３３に蓄積された媒体ごとの管理情報を利用して認証処理を行う。不正コピーされた記録媒体からのアクセスなどを排除するためである。この場合の媒体管理情報はディスク製造元やディスク販売業者から提供された媒体固有の管理情報（識別情報と同じ情報）が利用される。
【００５０】
管理用サーバ３０側に媒体固有の管理情報が存在しないときは、識別情報のデータ構造が正規のデータ構造であるかどうかなどをチェックすることで、真正な識別情報か、不正に取得した識別情報であるか、あるいは不正に模倣して作成した識別情報かを判別することができ、真正な識別情報であるときはこれをパスワードと共に、管理用サーバ３０側に登録する。
【００５１】
続いて、識別情報によって享受できるサービス情報が送信されたときには、サービス側では提供されたサービスコンテンツの選択を行う。この場合には受信した識別情報ＵＩＤとサービスコンテンツとの対応関係を取った上でユーザ側にそのサービス情報を提供することになる。
【００５２】
ユーザ側で特定の識別情報ＵＩＤｉを送信すると、それに対応したサービスコンテンツが送信され、ユーザ側ではこれを受信する。受信したサービスコンテンツは記憶手段２３に一時的に保存した上で表示部２５に再現される。これで、識別情報を使用したサービスを正規購入者に提供できる。
【００５３】
コンテンツのサービスを行うと、管理用データベースの管理情報の書き替え処理が行われる。例えば同じコンテンツをｎ回サービスする場合には、サービス回数のデクリメント処理が行われて、その結果が管理情報として保存される。あるいはｎ個の異なるコンテンツをサービスする場合には、どのコンテンツを提供したのかを保存すると共に、その回数も同時に管理情報として保存する。
【００５４】
そして全てのサービスの提供が済むと、その光ディスク１０に関するサービスが終了することになる。なお、全てのサービスが終了したとき、例えばボーナスサービスを実施することもできる。詳細は後述する。
【００５５】
サービスを提供する場合にあって、ユーザ側がサービスコンテンツを選択するのではなくこのサービスの選択枝を省き、予め管理用サーバ３０側で定めたサービスコンテンツのみを提供するようにシステムを構築することもできる。
【００５６】
続いて、図９以下を参照してより詳細に処理手順を説明する。説明の都合上、同一のサービスコンテンツのみを提供する処理例を図９と図１０を参照して説明する。まず管理用サーバ３０側から図９を参照して説明する。
【００５７】
管理用サーバ３０側ではまず光ディスク１０から読み出した全ての識別情報ＵＩＤを受信しこれを保存する。保存した識別情報ＵＩＤと、管理用サーバ３０側の管理情報とを照合してサービスを受ける権利があるかどうかをチェックする（ステップ７１）。つまり使用可能な識別情報ＵＩＤが存在するかどうかを判断する。サービスは有限であり、これは識別情報の個数に依存するものであるから、管理用サーバ３０側へのアクセスが最初なのか、２回目以降なのかを管理情報を参照して判断する。
【００５８】
まだサービスを使い切っていないときには、予め用意されたサービスコンテンツを送信する（ステップ７２）。サービスコンテンツの送信に先立ちこの例ではサービスコンテンツを送信する旨のメッセージをまず送信し、その後でサービスコンテンツを送信する。そしてサービスコンテンツの送信が終了した段階で送信終了した旨のメッセージを送信する。サービスコンテンツの開始と終了を明確にするためである。
【００５９】
サービスコンテンツの送信をした後で管理用データベース３３の管理情報の書き替えを行う（ステップ７３）。例えば受信したトータルの識別情報ＵＩＤが５個であったときには、アクセスしたその媒体固有の識別情報ＵＩＤに関するサービス回数を「１」ずつデクリメントして保存しておく。サービス回数が１回でも残っているときには使用可能な識別情報があるものと判断する。
【００６０】
したがって、管理情報を参照した結果、使用可能な識別情報ＵＩＤが存在しないときには、スペシャルサービスが既に提供されているかを判別する（ステップ７４）。スペシャルサービスとは、識別情報に付随した全てのサービスが終了した後での特別サービスであって、これは識別情報の個数に拘わらず１回だけのサービスである。
【００６１】
スペシャルサービスの提供がまだなされていないときには、スペシャルサービスとして用意されているコンテンツを送信する（ステップ７５）。この場合においてもコンテンツ送信の前後に所定のメッセージが送信されると共に、管理情報にスペシャルサービス提供済みを示す情報が記録される。
【００６２】
スペシャルサービスの送信が既に終了しているときには、したがって５個の識別情報が記録された光ディスクの場合には５回目のアクセスでサービスコンテンツの送信が終了し、６回目のアクセスでスペシャルサービス用のコンテンツが送信されるので、７回目にはこのスペシャルサービスの提供もなくなるから、この場合には全サービスが終了した旨のメッセージがユーザに送信されて、当該光ディスク１０に関する全てのサービスが終了することになる（ステップ７６）。
【００６３】
図１０はユーザ側の処理例であって、全ての識別情報ＵＩＤを送信したあと待機モードとなり、管理用サーバ３０側からの情報受信の結果、それがサービスコンテンツに関するメッセージかどうかを判別し（ステップ８１）、サービスコンテンツ用メッセージであるときには受信した送信開始メッセージを表示する（ステップ８２）。この送信開始メッセージに続いてサービスコンテンツが送信されてくるのでこれを受信し、保存する（ステップ８３）。場合によっては同時に表示部２５にサービスコンテンツを表示することもできる。サービスコンテンツの受信が終了すると、その後、送信終了メッセージが表示される（ステップ８４）。そして、次のサービスコンテンツの受信待機状態となる（ステップ８５）。
【００６４】
一方、最初に受信した情報がサービスコンテンツ用のメッセージではないときには、次にその情報がスペシャルサービスのメッセージかどうかを判別する（ステップ８７）。スペシャルサービス用のメッセージであるときにはスペシャルサービス用のコンテンツを受信し、保存し、あるいは表示する（ステップ８８）。その後全てのサービスが終了したメッセージ（受信メッセージ）を表示する（ステップ８９）。またステップ８７において、そのメッセージ内容がスペシャルサービス用のメッセージでないと判断されたときには、そのメッセージはサービス終了したことを示すメッセージであるので、ステップ８９に遷移して、サービス終了メッセージが表示されることになる。
【００６５】
このようにして、ユーザは光ディスク１０より読み出した識別情報ＵＩＤを管理用サーバ３０側に送信するだけで、管理用サーバ３０側に用意されたサービス用のコンテンツを享受できる。サービスを受けるべきコンテンツは同一のコンテンツか、アクセスの都度異なるコンテンツである。ただし、この例ではユーザが好みのコンテンツを指定することはできないようになっている。
【００６６】
また、上述したようにサービス回数の管理を管理用サーバ３０側で行うと、光ディスク１０から読み出された識別情報ＵＩＤを参照してサービス回数などを管理することになるので、情報端末装置２０には全く依存しない。したがって異なる情報端末装置２０を用いて識別情報ＵＩＤを読み出しても、その光ディスク１０に対するサービス管理は完全なものとなり、サービス限度以上のサービスをユーザに提供することはない。
【００６７】
続いて、図１１〜図１４を参照して別の実施の形態を説明する。この実施の形態はユーザ側でサービスコンテンツを選択できるようにした場合である。この場合には図１１に示すように、ユーザが送信した全ての識別情報ＵＩＤを使用して識別情報ＵＩＤとサービスコンテンツとの一覧表を作成し、これを管理用データベース３３に保存しておく。どの識別情報にどのサービスコンテンツを当てるかは任意であるが、予め定められたコンテンツテーブルを参照して抜粋することになる。この一覧表には図１２に示すようにユーザが、サービスを受けるために指定した識別情報ＵＩＤｉがあり、既にそのサービスをユーザが享受しているときには、サービス済みの欄にサービスを受けた情報が一覧表に付加される。図１２では便宜的に○印で示す。
【００６８】
最初のアクセスではユーザに提供される一覧表は図１１に示すようにサービス済みの欄は空欄となっている。この一覧表からどのコンテンツを指定するかは任意であって、指定してそのコンテンツのサービスを享受すると図１２のようにサービス済みの識別子が付加される。２回目以降は図１２に示す一覧表がユーザに提示されるから、ユーザは残りのコンテンツから選択することになる。
【００６９】
図１１および図１２に関連した処理例が図１３と図１４に示されている。
図１３は管理用サーバ３０側の処理例であって、全ての識別情報ＵＩＤを受信すると、まず受信した識別情報ＵＩＤが有効かどうかを判断し、有効であるとき、つまりサービス提供を受けることができる使用可能な識別情報ＵＩＤが存在するときには（ステップ９１）、予め受信した全ての識別情報ＵＩＤと、サービス可能なコンテンツとの一覧表を作成してこれをユーザ側に送信する（ステップ９２）。
【００７０】
この一覧表から特定の識別情報ＵＩＤが指定されるので、受信した識別情報ＵＩＤに対応するサービスコンテンツがユーザに提供される（ステップ９３）。このとき図１０で説明したのとおなじように、サービスコンテンツの前後に送信開始および送信終了メッセージがそれぞれ送信される（ステップ９４）。その後管理用サーバ３３に保存された管理情報に、どの識別情報が指定されたかを記録する（ステップ９５）。これと同時に、図１２に示すように一覧表の情報を更新する。
【００７１】
一覧表を更新することで、さらにサービスを提供できるかどうかを判断し、使用できる識別情報ＵＩＤが存在するときには（ステップ９６）、ユーザに対して次のサービスを受けるかどうかの問い合わせを行い（ステップ９７）、続けてサービスを受ける旨の情報を受信したときには（ステップ９８）、再びステップ９２に戻って最新の一覧表の情報がユーザに送信されて同じようなコンテンツ選択処理が実行される。
【００７２】
ステップ９６で最早サービスを全て使い切ってしまったときには、予め用意されているスペシャルサービスについての処理を行う（ステップ１０１）。スペシャルサービスをまた享受していないときには、スペシャルサービス用のコンテンツをユーザに提供すべく、送信開始メッセージと共にスペシャルサービス用のコンテンツを送信し、送信が終了した段階で送信終了メッセージを送信してサービス処理を終了する（ステップ１０２）。
【００７３】
これに対して既にスペシャルサービスの提供を受けているときには、最早これ以上のサービスはその光ディスク１０に関しては、受けることができないので、この場合には全サービスの終了メッセージが送信されて図１３の処理を終了することになる（ステップ１０３）。何回かのアクセスを行うと、管理用データベース３３の内容を参照することで、既にサービス回数を過ぎている場合もあるので、この場合には一覧表を参照することで、使用可能な識別情報ＵＩＤが存在しないことが判る（ステップ９１）。その場合にはステップ１０１の判断を待つことになる。
【００７４】
サービス回数分のアクセスでは、またスペシャルサービスを享受していないので、この場合にはステップ１０２に遷移し、サービス回数を超えたアクセスであるときにはステップ１０３に遷移することになる。
【００７５】
図１４はユーザ側の処理例であって、全ての識別情報ＵＩＤを送信したあと待機モードとなり、管理用サーバ３０側からの情報受信の結果、それが最終的なサービス終了に関するメッセージかどうかを判別し（ステップ１１１）、サービス終了メッセージではなく、識別情報ＵＩＤとサービスコンテンツに関する一覧表を示す情報であるときには、その一覧表を表示する（ステップ１１２）。この一覧表から提供を受けるべきサービスコンテンツを識別情報ＵＩＤによって指定する（ステップ１１３）。
【００７６】
次に、受信した送信開始メッセージを表示する（ステップ１１４）。この送信開始メッセージに続いてサービスコンテンツが送信されてくるのでこれを受信し、保存する（ステップ１１５）。場合によっては同時に表示部２５にサービスコンテンツを表示することもできる。サービスコンテンツの受信が終了すると、その後、送信終了メッセージが表示される（ステップ１１６）。そして、次のサービスコンテンツの受信待機状態となる（ステップ１１７）。
【００７７】
このステップ１１７で次のサービスを続けて受けたいときは、管理用サーバ３０側に一覧表の再送信を依頼する（ステップ１１８）。管理用サーバ３０側では最新の受信情報に基づいて一覧表を更新しているので、最新の一覧表が再送信されることになる。その後に受信した情報がサービス終了メッセージかどうかを判断し（ステップ１１９）、サービス終了メッセージであるときには、次にその情報がスペシャルサービスのメッセージかどうかを判別する（ステップ１２０）。スペシャルサービス用のメッセージであるときにはスペシャルサービス用のコンテンツを受信し、保存し、あるいは表示する（ステップ１２１）。その後全てのサービスが終了したメッセージを表示する（ステップ１２２）。
【００７８】
またステップ１２０において、そのメッセージ内容がスペシャルサービス用のメッセージでないと判断されたときには、ステップ１１９で判断したようにそのメッセージはサービスが終了したことを示すメッセージであるので、ステップ１２２に遷移して、サービス終了メッセージが表示されることになる。
【００７９】
以上のように、ユーザの好みに応じたサービスコンテンツを選択しながら、有限回のサービスを享受できる。この場合には、使用する識別情報ＵＩＤとしては図３（ｂ）に示す異なる内容の識別情報を採用した方がサービスコンテンツとの対応関係を取りやすい。
【００８０】
さて、記録可能なデータ記録媒体に上述した識別情報ＵＩＤを記録するにはＰＭＡエリア１８に通常の光源（レーザ光源）を利用して、上述したＴＯＣ情報の一部として記録することができる。そしてコンプリート処理あるいはファイナライズ処理をすることで、リードインエリア１６にＴＯＣ情報として記録することができる。ＴＯＣ情報の一部として記録するＰＭＡエリア１８は、ユーザ自身ではデータを記録できないが再生はできるエリアである。
【００８１】
また、この発明では図２に示すプレス加工されたデータ記録済みのデータ記録媒体でも、この媒体に上述した識別情報ＵＩＤを記録して使用することができる。この場合には所望とするデータが書き込まれたディスク原盤に、識別情報ＵＩＤが例えば高出力レーザを使用して記録される。その記録方法の一例を図１５以下を参照して説明する。
【００８２】
図１５は識別情報記録装置を含む光ディスク作成システムの一例を示す。この光ディスク作成システムは、光ディスクに記録する情報データの変調信号を生成して送出する変調信号送出装置１４０、変調信号に従って光ディスク原盤３２０を作成する光ディスク原盤記録装置であるレーザービーム・レコーダ６００、半製品の光ディスク３４０を成形する成形装置７００及び半製品の光ディスク３４０に追記を行なう追記装置２００から構成される。追記装置２００は上述した識別情報を記録するための手段である。
【００８３】
変調信号送出装置１４０は、光ディスクに記録する情報データを読み込んで再生する記録情報再生手段１５０、再生された情報データを所定のフォーマットの変調信号データパターンに変換する変調情報生成手段１６０、変調信号データパターン情報を記憶する変調情報記憶手段１７０及び変調信号を出力する変調信号出力手段１８０から構成される。
【００８４】
記録情報再生手段１５０は、マスターの光ディスク３１０に記録された所定の情報データを全領域にわたって順次再生し、変調情報生成手段１６０へ送る。マスターの光ディスク３１０は、ＣＤ−Ｒ等のマスターメディア（情報源）であり、光ディスク原盤３２０に記録する所定の情報データが記録されている。所定の情報データは、音楽データ、映像データ、あるいは、プログラム等の任意の情報データである。
【００８５】
変調情報生成手段１６０は、再生された情報データを予め決められた所定のフォーマットの変調信号データパターンに変換し、生成された変調信号データパターンを変調情報記憶手段１７０に記憶するとともに変調信号出力手段１８０に出力する。変調信号データパターンは、所定のフォーマットにより変換された１／０のビットパターンにより構成される。また、変調時には必要に応じて、追記を行なう領域の指定等の追記に関する追記関連情報４１０を参照する。
【００８６】
変調情報記憶手段１７０は、変調情報生成手段１６０により生成された変調信号データパターンを記憶する。変調信号出力手段１８０は、変調情報生成手段１６０の生成した変調信号データパターンを入力し、１／０のビットパターンを所定のクロックで出力することにより変調信号を生成し、レーザービーム・レコーダ６００へ出力する。
【００８７】
レーザービーム・レコーダ６００は、変調信号送出装置１４０から入力する変調信号に基づいてレーザー光を照射して光ディスク原盤３２０にカッティングを施し、情報データを記録する。この光ディスク原盤３２０に基づき、スタンパー３３０が製作される。
【００８８】
成形装置７００は、このスタンパー３３０を用いて情報データが記録された記録済み光ディスクである半製品の光ディスク３４０を複製する。半製品の光ディスク３４０は、このように情報データは記録済みであるが、追記情報がまだ記録されていない状態の光ディスクを表すとする。
【００８９】
追記装置２００は、追記関連情報４１０あるいは変調信号データパターンを記憶する変調情報記憶手段２１０、追記の制御を行なう追記制御手段２２０及び追記制御手段２２０に従って半製品の光ディスク３４０に追記を施す追記手段２３０から構成される。
【００９０】
変調情報記憶手段２１０は、変調信号送出装置１４０の用いた追記関連情報４１０、あるいは変調信号送出装置１４０により生成された変調信号データパターンを記憶する記憶手段である。追記制御手段２２０は、追記関連情報４１０あるいは変調信号データパターンに基づいて、追記情報４２０を記録する領域を算出するとともに、この領域に目盛り手段に記憶された追記情報４２０を追記する制御を行なう。
【００９１】
追記手段２３０は、追記制御手段２２０に従って、半製品の光ディスク３４０に、メモリ手段に格納された光ディスク固有の識別情報である追記情報４２０を記録し、追記情報４２０が記録された製品の光ディスク３５０を生成する。この光ディスク３５０が上述した複数の識別情報が記録されたデータ記録媒体１０を指す。
【００９２】
追記装置２００では、変調情報記憶手段１７０に予め変調信号送出装置１４０の用いた追記関連情報４１０、あるいは変調信号データパターンが記憶されている。追記制御手段２２０は、追記関連情報４１０あるいは変調信号データパターンに基づいて、追記情報４２０を記録する領域を算出し、この領域に追記情報４２０を追記するように追記手段２３０を制御する。追記手段２３０は、追記制御手段２２０に従って、追記情報４２０を半製品の光ディスク３４０に記録し、製品の光ディスク３５０を製作する。
【００９３】
追記情報記録手法としては、変調信号送出装置において情報データの変調時に変調信号の任意の区間に無変調区間を設けた変調信号を生成して半製品の光ディスクを製作し、追記装置において無変調区間に追記情報を記録して製品の光ディスクを製作する方法がある。
【００９４】
図１６にその一例を示す。変調信号送出装置１４０では、変調信号データパターン（以下、ＥＦＭデータパターンとする）に挿入する無変調区間に関する情報を追記関連情報４１０より取得する。ＥＦＭデータパターンのどこに無変調区間を挿入するか、あるいは、無変調区間をいくつ挿入するかということは任意であり、特定はされない。ただし、無変調区間が挿入された半製品の光ディスク３４０がトラッキングサーボできる程度、すなわち連続した無変調区間がトラッキングサーボの帯域以下となるように設定する。このトラッキングの方法は、特に限定されない。図１６の例では、サブコーディング部を無変調区間としている。無変調区間は、同期パターンを除くサブコーディング部、情報データが挿入されるデータ部の任意の箇所に設けることができる。また、ある一定間隔、あるいはランダムな間隔で無変調区間を複数設けるとしてもよい。
【００９５】
変調情報生成手段１６０は、このような追記関連情報４１０に従って、ＥＦＭデータパターンの一部に無変調区間を設けた変調信号（以下、ＥＦＭ信号とする）を生成し、レーザービーム・レコーダ６００へ出力する。レーザービーム・レコーダ６００へ出力するＥＦＭ信号、すなわち、光ディスク原盤３２０に記録されるＥＦＭ信号の波形は、サブコーディング部の信号レベルが０となる。これに応じて製作される半製品の光ディスク３４０は、無変調区間であるサブコーディング部にピットが存在しない。
【００９６】
追記装置２００では、追記関連情報４１０を取得して変調情報記憶手段２１０に記憶しておく。追記制御手段２２０は、追記情報４２０にＥＦＭ変調を施し、そのＥＦＭ信号がサブコーディング部に相当する区間に記録されるように、高出力のレーザーを発する追記手段２３０を制御して、サブコーディング部にピットを形成する。図１６の斜線で表されたピットが追記情報により形成されたピットである。追記装置２００により追記が行なわれた製品の光ディスク３５０は、サブコーディング部に相当する区間に追記情報４２０の変調信号が記録されている。
【００９７】
このようにして、情報データの変調信号が記録された半製品の光ディスクに、同一の変調方式で変調された追記情報を記録する。追記情報としてディスク１枚ごとに異なったデータを記録することにより、光ディスクの個別情報として読み出すことが可能となる。また、追記が行なわれた製品の光ディスクは、従来のＥＦＭ変調に対応する再生機において、情報データの変調信号とともに追記情報の変調信号を再生することができる。このように、個別識別情報読み出しのための特殊な回路を再生機に設ける必要なく、個別識別情報を再生することができる。
【００９８】
記録済みのデータ記録媒体に対して識別情報などの追記情報を記録手法としては、上述した例の他に、変調信号送出装置において情報データを変調したＥＦＭ信号を生成して半製品の光ディスクを製作し、追記装置において変調信号送出装置が生成したＥＦＭデータパターンを参照して任意の区間に追記情報を記録して製品の光ディスクを製作する方法などが考えられるが、その詳細な説明は割愛する。
【００９９】
【発明の効果】
以上説明したように、この発明に係るデータ記録媒体は、記録済み媒体、記録可能媒体を問わず、所定のエリアに複数の識別情報を記録したものである。この識別情報を媒体に記録された、あるいは記録されるべき情報とは関係のない情報を取得するときに使用される。したがって例えば管理用サーバ側に蓄積された情報をサービスとして取得する場合に、この識別情報を利用すると、記録された識別情報の個数だけサービスの提供を受けるときの目安として使用することができる。例えば、識別情報が５個記録されているときには、トータル５回のサービスを享受できるように、その識別情報を利用できる。これによって１回切りのサービスではなく有限回のサービスを受けるときのカウント情報として利用できる実益を有する。
【０１００】
この発明に係る識別情報記録方法および記録装置は、データの読み出しはできるが、再記録（再書き込み）ができないデータ記録媒体のエリアに複数の識別情報を記録したものである。これによれば、記録された識別情報を再書き込みしたり、コピーすることができないので、識別情報の改ざんを防止できる特徴を有する。
【０１０１】
この発明に係る識別情報の再生方法および再生装置は、再生された情報よりＴＯＣ情報に基づいて複数の識別情報を抽出分離し、これを保存し、必要なタイミングに読み出して使用できるようにしたものである。
【０１０２】
これによれば、ＴＯＣ情報を利用して複数の識別情報を簡単に抽出分離できる特徴を有する。そして、この識別情報を管理用サーバに蓄積されたサービスを受けるための情報として利用するときには、識別情報の個数によって提供を受けるコンテンツの数や、同じコンテンツのサービス回数などを管理できるので便利である。
【０１０３】
またこの発明に係る情報サービス方法および情報サービスシステムは、識別情報を有する情報端末装置と管理用サーバとを通信回線網で結ぶことで、識別情報を用いた情報の授受を可能にしたものである。これによれば、複数の識別情報を用いて複数回のサービスや、異なる複数のサービス提供をスムーズに実現できる特徴を有する。この場合、識別情報はデータ記録媒体に記録された識別情報であり、その管理は管理用サーバ側で行われるために、データ記録媒体を再生したりする情報端末装置には依存しないでサービス回数や異なるサービスの管理を実現できる。
【０１０４】
このようにこの発明によれば、サービス回数の管理などをデータ記録媒体に記録された複数の識別情報のみで実現できる特徴を有する。
【図面の簡単な説明】
【図１】この発明に係る書き込み可能なデータ記録媒体の実施の形態を示す概念図である。
【図２】この発明に係る記録済みのデータ記録媒体の実施の形態を示す概念図である。
【図３】この発明に係るデータ記録媒体に記録される複数の識別情報を示す図である。
【図４】この発明に係る情報サービスシステムの概要を示す系統図である。
【図５】この発明に係る情報端末装置の実施の形態を示す要部の系統図である。
【図６】この発明に使用される管理用サーバの実施の形態を示す要部の系統図である。
【図７】この発明に係る識別情報再生装置の他の実施の形態を示す要部の系統図である。
【図８】情報端末装置と管理用サーバとのデータ処理例を示すフローチャートである。
【図９】管理用サーバ側の処理例を示すフローチャートである。
【図１０】情報端末装置側の処理例を示すフローチャートである。
【図１１】識別情報とサービスコンテンツとの一覧表を示す図である。
【図１２】識別情報、サービスコンテンツ、サービス欄の一覧表を示す図である。
【図１３】管理用サーバ側の処理例を示すフローチャートである。
【図１４】情報端末装置側の処理例を示すフローチャートである。
【図１５】記録済みデータ記録媒体に識別情報を記録するときの識別情報記録装置の実施の形態を示す系統図である。
【図１６】その動作説明に供する説明図である。
【符号の説明】
１０・・・ディスク（書き込み可能な記録媒体）、１４・・・プログラムエリア（主記録領域）、１６・・・リードインエリア、１８・・・プログラムメモリエリア（補助記録領域）、２０・・・情報端末装置、３０・・・管理用サーバ、４０・・・通信回路網、２４、３４・・・・送受信部、２５・・・表示部、５０・・・識別情報端末装置、３２・・・・サービスコンテンツデータベース、３３・・・管理用データベース、６０・・・・ＴＯＣ情報抽出手段、６２・・・識別情報抽出手段
【図１】
2004087062.tif 000003
【図２】
2004087062.tif 000004
【図３】
2004087062.tif 000005
【図４】
2004087062.tif 000006
【図５】
2004087062.tif 000007
【図６】
2004087062.tif 000008
【図７】
2004087062.tif 000009
【図８】
2004087062.tif 000010
【図９】
2004087062.tif 000011
【図１０】
2004087062.tif 000012
【図１１】
2004087062.tif 000013
【図１２】
2004087062.tif 000014
【図１３】
2004087062.tif 000015
【図１４】
2004087062.tif 000016
【図１５】
2004087062.tif 000017
【図１６】
2004087062.tif 000018